(57)【要約】  本発明に係る空気調和機の室外機の外郭部は、側面部から背面部に連続して開口する第１開口部が形成された本体部と、前記第１開口部を覆う横断面Ｌ字状の第１パネルと、を備え、前記第１パネルは、前記第１開口部のうちの前記側面部に形成されている部分を覆う側面側パネル部と、前記第１開口部のうちの前記背面部に形成されている部分を覆う背面側パネル部と、複数の爪部と、を備え、前記複数の爪部のうちの１つは、前記背面側パネル部の上端部から上方へ突出する板状の第１爪部であり、前記本体部の前記背面部は、下端部に切り欠きが形成された第１板部と、規定間隔を空けて前記第１板部の前方に配置された第２板部と、を備え、前記切り欠きに前記第１爪部を挿入し、前記側面側パネル部が前記側面部に近づく方向に前記第１パネルを移動させることにより、前記第１板部と前記第２板部との間に前記第１爪部が配置される構成となっている。
2019207683.tif 000002
【特許請求の範囲】
【請求項１】
背面部及び側面部を有する外郭部を備え、
前記外郭部は、
前記側面部から前記背面部に連続して開口する第１開口部が形成された本体部と、
前記第１開口部を覆う横断面Ｌ字状の第１パネルと、
を備え、
前記第１パネルは、
前記第１開口部のうちの前記側面部に形成されている部分を覆う側面側パネル部と、
前記第１開口部のうちの前記背面部に形成されている部分を覆う背面側パネル部と、
複数の爪部と、
を備え、
前記複数の爪部のうちの１つは、前記背面側パネル部の上端部から上方へ突出する板状の第１爪部であり、
前記本体部の前記背面部は、
下端部に切り欠きが形成された第１板部と、
規定間隔を空けて前記第１板部の前方に配置された第２板部と、
を備え、
前記切り欠きに前記第１爪部を挿入し、前記側面側パネル部が前記側面部に近づく方向に前記第１パネルを移動させることにより、前記第１板部と前記第２板部との間に前記第１爪部が配置される構成である空気調和機の室外機。
【請求項２】
前記本体部には、前記側面部から前記背面部に連続して開口し、下端が前記第１開口部の上端とつながる第２開口部が形成され、
前記本体部は、該第２開口部を覆う第２パネルを備え、
前記第２パネルが、前記切り欠きの形成された前記第１板部及び前記第２板部を備えている請求項１に記載の空気調和機の室外機。
【請求項３】
前記第１爪部は、前記側面側パネル部が前記側面部に近づく方向に前記第１パネルを移動させていった際に前記切り欠きの縁と接触する段部を備えている請求項１又は請求項２に記載の空気調和機の室外機。
【請求項４】
前記第１パネルは、前記背面側パネル部の前面に設けられた第２爪部を備え、
前記第２爪部は、
前記背面側パネル部の前面から前方へ突出する基部と、
前記側面側パネル部から離れる方向に前記基部から突出する凸部と、
を備え、
前記本体部は、前記第２爪部が挿入される第３開口部が形成され、
前記第３開口部に前記第２爪部を挿入し、前記側面側パネル部が前記側面部に近づく方向に前記第１パネルを移動させることにより、前記第３開口部の周縁に前記第２爪部の前記凸部が引っ掛かる構成である請求項１〜請求項３のいずれか一項に記載の空気調和機の室外機。
【請求項５】
前記第１パネルには、前記第３開口部と対向する位置に第４開口部が形成されている請求項４に記載の空気調和機の室外機。
【請求項６】
前記第１パネルの前記側面側パネル部は、前記本体部にネジで固定されている請求項１〜請求項５のいずれか一項に記載の空気調和機の室外機。
【請求項７】
送風機、室外熱交換器及び圧縮機を備え、
前記本体部は、前記送風機及び前記室外熱交換器が設けられている送風機室と、前記圧縮機が設けられている機械室とに区画されており、
前記第１開口部は、前記機械室に形成されている請求項１〜請求項６のいずれか一項に記載の空気調和機の室外機。
【発明の詳細な説明】
【技術分野】
【０００１】
本発明は、据付時及びメンテナンス時等に用いられる開口部が形成された外郭部を備えた空気調和機の室外機に関する。
【背景技術】
【０００２】
従来、空気調和機の室外機の外郭部には、据付時及びメンテナンス時等に用いられる開口部が形成されている。当該開口部は、該開口部を用いないときには、パネルで覆われている。すなわち、外郭部は、当該開口部が形成された本体部と、当該開口部を覆うパネルとを備えている。また、パネルは、例えばネジ止めによって、本体部に固定される。室外機には、圧縮機及び室外熱交換器等で冷媒流路が形成されている。また、室内機には、室内熱交換器等で冷媒流路が形成されている。例えば、室外機の冷媒流路と室内機の冷媒流路とを冷媒配管で接続する際、作業者は、パネルを取り外して、室外機の外郭部の開口部を開ける。そして、作業者は、当該開口部から外郭部内に手を挿入し、室外機の冷媒流路に冷媒配管を接続する。【０００３】
また、据付時及びメンテナンス時等に用いられる開口部が形成された従来の室外機には、外郭部の側面部から背面部に連続して開口した開口部が形成された室外機も知られている。このような開口部が外郭部に形成されている室外機においては、パネルを本体部の背面部にネジ止めで固定する構成となっている場合、次のような課題が発生していた。すなわち、室外機は、背面部の近傍に壁面等が位置する状態で設置される場合がある。このような場合、室外機の背面部側に、ネジの取り付け及び取り外しを行うための十分な作業スペースを確保することができない。このため、パネルを本体部の背面部にネジ止めで固定する構成となっている場合、パネルの着脱が、換言すると開口部の開閉が困難となる。【０００４】
そこで、従来の室外機には、パネルに複数の鉤型の爪部を設け、本体部にこれらの爪部が挿入される開口部を形成し、パネルの爪部を本体部の開口部周縁に引っ掛けることにより、パネルを本体部の背面部に固定する室外機も提案されている（例えば特許文献１参照）。なお、パネルと本体部の側面部とは、パネルを本体部の背面部に固定した後、ネジ止めによって固定されている。
【先行技術文献】
【特許文献】
【０００５】
【特許文献１】特開平７−２６０２０８号公報
【発明の概要】
【発明が解決しようとする課題】
【０００６】
上述のように、従来の室外機では、鉤型の爪部を用いてパネルを本体部の背面部に固定している。このような鉤型の爪部を用いてパネルを本体部の背面部に固定する構成では、本体部に対するパネル部のがたつきが大きくなってしまう。このため、従来の室外機は、パネルを本体部の背面部に固定し、パネルを本体部の側面部に固定する前の状態においては、本体部に対するパネルの倒れが大きくなってしまう。したがって、従来の室外機は、パネルを本体部の側面部にネジ固定しようとした際、パネルに形成されたネジ挿入用の穴と本体部に形成された雌ネジとのずれも大きくなってしまう。このため、従来の室外機は、パネルを本体部の側面部にネジ固定しようとした際、パネルに形成されたネジ挿入用の穴と本体部に形成された雌ネジとの位置合わせ作業が繁雑となり、パネルを本体部に取り付ける作業が煩雑になるという課題があった。【０００７】
本発明は、上述の課題を解決するためになされたものであり、外郭部の側面部から背面部に連続して開口した開口部が形成された空気調和機の室外機において、パネルの着脱作業が従来よりも容易となる空気調和機の室外機を得ることを目的とする。
【課題を解決するための手段】
【０００８】
本発明に係る空気調和機の室外機は、背面部及び側面部を有する外郭部を備え、前記外郭部は、前記側面部から前記背面部に連続して開口する第１開口部が形成された本体部と、前記第１開口部を覆う横断面Ｌ字状の第１パネルと、を備え、前記第１パネルは、前記第１開口部のうちの前記側面部に形成されている部分を覆う側面側パネル部と、前記第１開口部のうちの前記背面部に形成されている部分を覆う背面側パネル部と、複数の爪部と、を備え、前記複数の爪部のうちの１つは、前記背面側パネル部の上端部から上方へ突出する板状の第１爪部であり、前記本体部の前記背面部は、下端部に切り欠きが形成された第１板部と、規定間隔を空けて前記第１板部の前方に配置された第２板部と、を備え、前記切り欠きに前記第１爪部を挿入し、前記側面側パネル部が前記側面部に近づく方向に前記第１パネルを移動させることにより、前記第１板部と前記第２板部との間に前記第１爪部が配置される構成となっている。
【発明の効果】
【０００９】
本発明に係る空気調和機の室外機においては、第１パネルの背面側パネル部は、第１爪部を含む複数の爪部を用いて本体部の背面部に固定される。このため、本発明に係る空気調和機の室外機は、室外機の背面部側に十分な作業スペースが確保されていない場合でも、第１パネルの背面側パネル部を本体部の背面部から容易に着脱することができる。【００１０】
また、本発明に係る空気調和機の室外機においては、第１パネルの背面側パネル部が本体部の背面部に固定された際、板状の第１爪部が第１板部及び第２板部で挟みこまれた状態となる。このような固定構成の場合、板状の第１爪部と第１板部との間の隙間、及び板状の第１爪部と第２板部との間の隙間を小さくできる。このため、本発明に係る空気調和機の室外機は、第１パネルの背面側パネル部が本体部の背面部に固定された状態において、本体部に対する第１パネルの倒れを従来よりも小さくすることができる。したがって、例えば、第１パネルの側面側パネル部と本体部の側面部とをネジ固定する場合には、第１パネルの側面側パネル部に形成されたネジ挿入用の穴と本体部の側面部に形成された雌ネジとのずれが小さい。すなわち、第１パネルの側面側パネル部に形成されたネジ挿入用の穴と本体部の側面部に形成された雌ネジとの位置合わせが容易となる。このため、本発明に係る空気調和機の室外機は、パネルを本体部に取り付ける作業が従来よりも容易となる。
【図面の簡単な説明】
【００１１】
【図１】本発明の実施の形態に係る空気調和機の室外機を前方から見た斜視図である。
【図２】本発明の実施の形態に係る空気調和機の室外機の内部構造を前方から見た斜視図である。
【図３】本発明の実施の形態に係る空気調和機の室外機の外郭部を後方から見た斜視図である。
【図４】本発明の実施の形態に係る空気調和機の室外機の第１パネル、第２パネル及び底板を後方から見た分解斜視図である。
【図５】図４のＡ部拡大図である。
【図６】図４のＢ部拡大図である。
【図７】図４のＣ部拡大図である。
【図８】本発明の実施の形態に係る空気調和機の室外機の第１パネルを前方から見た斜視図である。
【発明を実施するための形態】
【００１２】
実施の形態．
以下、本発明の実施の形態に係る空気調和機の室外機１００について、図面を参照しつつ説明する。なお、以下の図面では、ある構成に隠れて見えない構成に引き出し線を用いて符号を付す場合、当該見えない構成を指し示す引き出し線を破線で示している。
【００１３】
図１は、本発明の実施の形態に係る空気調和機の室外機を前方から見た斜視図である。図２は、本発明の実施の形態に係る空気調和機の室外機の内部構造を前方から見た斜視図である。図３は、本発明の実施の形態に係る空気調和機の室外機の外郭部を後方から見た斜視図である。
【００１４】
本実施の形態に係る空気調和機の室外機１００は、側面部５１及び背面部５２を有する外郭部５０を備えている。外郭部５０は、略直方体形状となっている。この外郭部５０は、本体部５３及び第１パネル７０を備えている。本体部５３は、略直方体形状をしている。本体部５３には、側面部５１から背面部５２に連続して開口する第１開口部５４が形成されている。なお、後述のように、本体部５３は、送風機３４及び室外熱交換器３５が設けられている送風機室５６と、圧縮機３１が設けられている機械室５７とに区画されている。そして、第１開口部５４は、機械室５７に形成されている。
【００１５】
第１パネル７０は、第１開口部５４を覆う部品であり、本体部５３に対して着脱自在に取り付けられている。詳しくは、第１パネル７０は、第１開口部５４のうちの側面部５１に形成されている部分を覆う側面側パネル部７１と、第１開口部５４のうちの背面部５２に形成されている部分を覆う背面側パネル部７２と、を備えている。そして、第１パネル７０は、側面側パネル部７１の端部と背面側パネル部７２の端部とが連結した形状となっており、横断面Ｌ字状になっている。
【００１６】
なお、第１開口部５４が形成されていれば本体部５３を構成する部品は特に限定されないが、本実施の形態では、底板２、正面パネル３、サービスパネル４、正面下側パネル５、第２パネル６、左側面パネル８及び天面パネル９で、本体部５３を構成している。
【００１７】
底板２は、本体部５３の底部を構成する部品である。正面パネル３は、サービスパネル４と共に、本体部５３の正面部を構成する部品である。詳しくは、サービスパネル４は、本体部５３の正面部のうち、側面部５１側の部分を構成している。正面パネル３は、本体部５３の正面部のうち、側面部５１とは反対側の側面部側の部分を構成している。また、正面パネル３は、送風機３４及び室外熱交換器３５が設けられている送風機室５６の前面部を構成している。このため、正面パネル３には、送風機３４と対向する位置に、吹出口３ａが形成されている。なお、本実施の形態に係る室外機１００は、２つの送風機３４を備えている。このため、正面パネル３には、２つの吹出口３ａが形成されている。
【００１８】
サービスパネル４及び正面下側パネル５は、本体部５３の前面部の一部と、本体部５３の側面部５１の前方部分とを構成する部品である。サービスパネル４が上部部分を構成しており、正面下側パネル５が下部部分を構成している。第２パネル６は、第１開口部５４の上部において、本体部５３の側面部５１の後方部分と、本体部５３の背面部５２の一部とを構成する部品である。
【００１９】
左側面パネル８は、本体部５３における側面部５１とは反対側の側面部を構成する部品である。本体部５３における側面部５１とは反対側の側面部は、送風機３４及び室外熱交換器３５が設けられている送風機室５６の側面部となっている。このため、左側面パネル８には、室外熱交換器３５と対向する位置に、吸込口８ａが形成されている。天面パネル９は、本体部５３の天面部を構成する部品である。
【００２０】
このように構成された本体部５３では、該本体部５３の背面部５２に、底板２、第１パネル７０、第２パネル６、左側面パネル８で囲まれた開口部が形成される。当該開口部は、室外熱交換器３５と対向する箇所に位置し、吸込口５８となる。
【００２１】
なお、本実施の形態に係る本体部５３においては、第２パネル６は、例えばネジ止め等によって、該第２パネル６の周囲の部品に着脱自在に取り付けられている。すなわち、本体部５３には、側面部５１から背面部５２に連続して開口し、下端が第１開口部５４の上端とつながる第２開口部５５が形成されている。そして、第２開口部５５は、第２パネル６によって覆われている。
【００２２】
図２に示すように、本体部５３は、室外熱交換器３５の側面部５１側の端部及び仕切板１により、送風機室５６と機械室５７とに区画されている。
【００２３】
送風機室５６には、送風機３４及び室外熱交換器３５が設けられている。詳しくは、送風機３４は、例えばプロペラ型の羽根車と、該羽根車を回転駆動するモーターとを備えている。また、本体部５３の底板２には、モーターサポート３３が設けられている。そして、送風機３４のモーターがモーターサポート３３に固定されている。この際、送風機３４は、吹出口３ａと対向するように配置される。室外熱交換器３５は、本体部５３の吸込口と対向するように、送風機室５６に設けられている。上述のように、本実施の形態に係る本体部５３は、本体部５３における側面部５１とは反対側の側面部に吸込口８ａが形成されており、背面部５２に吸込口５８が形成されている。このため、本実施の形態に係る室外熱交換器３５は、平面視Ｌ字形状となっている。
【００２４】
機械室５７には、冷媒回路の構成の一部である圧縮機３１が設けられている。また、本実施の形態に係る機械室５７には、冷媒回路中の余剰冷媒を貯留する冷媒容器３２も設けられている。また、本実施の形態に係る機械室５７には、冷媒回路を流れる冷媒を膨張させる図示せぬ膨張弁も設けられている。圧縮機３１、室外熱交換器３５の伝熱管、膨張弁及び冷媒容器３２は、機械室５７において、図示せぬ冷媒配管で接続されている。すなわち、室外機１００には、圧縮機３１及び室外熱交換器３５等が冷媒配管で接続されて、冷媒回路の一部となる冷媒流路が形成されている。
【００２５】
なお、室外機１００に接続される図示せぬ室内機にも、室内熱交換器等が冷媒配管で接続されて、冷媒回路の一部となる冷媒流路が形成されている。そして、室外機１００の冷媒流路と室内機の冷媒流路とが冷媒配管で接続されて、冷媒回路が完成する。そして、圧縮機３１から吐出された冷媒が冷媒回路を循環する際、室外熱交換器３５で吸熱して室内熱交換器で放熱することにより、暖房運転となる。また、圧縮機３１から吐出された冷媒が冷媒回路を循環する際、室内熱交換器で吸熱して室外熱交換器３５で放熱することにより、冷房運転となる。
【００２６】
また、機械室５７には、図示せぬ電機品箱も設けられている。電機品箱には、圧縮機３１等へ電力供給を行う電気品等が収納されている。電機品箱は、例えば、機械室５７内の上部に配置される。
【００２７】
ところで、本体部５３に形成された第１開口部５４は、室外機１００の据付時及びメンテナンス時等に用いられる。例えば、室外機１００の冷媒流路と室内機の冷媒流路とを冷媒配管で接続する際、作業者は、第１パネル７０を取り外して、第１開口部５４を開ける。そして、作業者は、当該第１開口部５４から本体部５３の機械室５７内に手を挿入し、室外機１００の冷媒流路に冷媒配管を接続する。
【００２８】
ここで、室外機１００は、背面部５２の近傍に壁面等が位置する状態で設置される場合がある。例えば第１パネル７０の背面側パネル部７２が本体部５３にネジ固定されている場合、背面部５２の近傍に壁面等があると、室外機１００の背面部５２側にネジの取り付け及び取り外しを行うための十分な作業スペースを確保することができない。そこで、本実施の形態に係る室外機１００においては、以下のような構成で背面側パネル部７２を本体部５３に固定し、第１パネル７０の着脱を容易にしている。
【００２９】
図４は、本発明の実施の形態に係る空気調和機の室外機の第１パネル、第２パネル及び底板を後方から見た分解斜視図である。図５は、図４のＡ部拡大図である。図６は、図４のＢ部拡大図である。図７は、図４のＣ部拡大図である。また、図８は、本発明の実施の形態に係る空気調和機の室外機の第１パネルを前方から見た斜視図である。換言すると、図８は、図４及び図６の反対側から第１パネル７０を見た斜視図である。
【００３０】
第１パネル７０は、第１爪部７３を含む複数の爪部を備えている。本実施の形態では、第１パネル７０は、第１爪部７３と第２爪部７５とを備えている。
【００３１】
第１爪部７３は、背面側パネル部７２の上端部から上方へ突出する板状の爪部である。本実施の形態では、第１爪部７３は、四角形状に形成されている。また、第１爪部７３は、横方向の途中部に、上下方向へ延びる段部７４が設けられている。第１爪部７３を後方から見た際、段部７４は、該段部７４よりも側面側パネル部７１から離れた側と比べ、後方へ突出している。図６では、該段部７４よりも側面側パネル部７１から離れた側は、段部７４よりも紙面右側となる部分である。
【００３２】
第２爪部７５は、背面側パネル部７２の前面に設けられている。すなわち、第２爪部７５は、第１爪部７３とは異なる方向へ突出しており、本体部５３の内部側へ突出している。本実施の形態では、第２爪部７５は、背面側パネル部７２の下端近傍に設けられている。第２爪部７５は、背面側パネル部７２の前面から前方へ突出する基部７６と、側面側パネル部７１から離れる方向に基部７６から突出する凸部７７とを備えている。
【００３３】
また、第１パネル７０の背面側パネル部７２には、第４開口部である開口部７８が形成されている。開口部７８は、第１パネル７０が本体部５３に取り付けられた際、後述の開口部２１と対向する位置に形成されている。なお、本実施の形態では、背面側パネル部７２の一部を切り起こして、第２爪部７５を形成している。そして、切り起こし作業の際に第２爪部７５となる箇所の周辺を切断して除去し、開口部７８を形成している。
【００３４】
上述の第１爪部７３は、第２パネル６の背面部５２を構成する部分に固定される。詳しくは、第２パネル６の背面部５２を構成する部分は、第１板部６１及び第２板部６２を備えている。第１板部６１は、下端部に切り欠き６３が形成されている。この切り欠き６３には、第１爪部７３が挿入される。このため、切り欠き６３は、第１爪部７３よりも若干大きく形成されている。第２板部６２は、規定間隔を空けて、第１板部６１の前方に配置されている。規定間隔とは、例えば、第１爪部７３を構成する板部材の板厚よりも若干大きな間隔である。
【００３５】
第２パネル６の背面部５２を構成する部分に第１爪部７３を固定する場合、まず、後方から切り欠き６３に第１爪部７３を挿入する。この際、例えば、第１爪部７３が第２板部６２に接触する位置まで、第１爪部７３を挿入する。そして、側面側パネル部７１が第２パネル６の側面部５１を構成する部分に近づく方向に、第１パネル７０を移動させる。このように第１パネル７０を移動させていくことにより、第１板部６１と第２板部６２との間に第１爪部７３が配置される。すなわち、第１板部６１と第２板部６２との間に、わずかな隙間を空けて第１爪部７３が挟みこまれた状態となる。これにより、第２パネル６の背面部５２を構成する部分に第１爪部７３が固定される。
【００３６】
なお、本実施の形態に係る第１爪部７３は、上述のように段部７４を備えている。このため、上述のように第１パネル７０を移動させていくと、第１爪部７３の段部７４が切り欠き６３の縁６３ａに接触し、第１パネル７０の移動が停止する。このため、段部７４を設けることにより、第１爪部７３が入り込みすぎることを防止できる。
【００３７】
上述の第２爪部７５は、底板２の背面部に固定される。詳しくは、底板２の背面部には、第３開口部である開口部２１が形成されている。開口部２１には、第２爪部７５が挿入される。このため、開口部２１は、第２爪部７５よりも大きく形成されている。
【００３８】
底板２の背面部に第２爪部７５を固定する場合、まず、後方から開口部２１に第２爪部７５を挿入する。その後、側面側パネル部７１が第２パネル６の側面部５１を構成する部分に近づく方向に、第１パネル７０を移動させる。これにより、開口部２１の周縁に第２爪部７５の凸部７７が引っ掛かり、底板２の背面部に第２爪部７５が固定される。また、底板２の背面部に第２爪部７５が固定された状態になった際、第１パネル７０の開口部７８は、開口部２１と対向した状態となる。
【００３９】
なお、第１パネル７０の側面側パネル部７１は、図１及び図３に示すように、本体部５３に雄ネジ８１で固定されている。具体的には、図４に示すように、第１パネル７０の側面側パネル部７１には、雄ネジ８１が挿入される穴７９が形成されている。なお、本実施の形態では、２つの雄ネジ８１により、第１パネル７０の側面側パネル部７１が固定される。このため、側面側パネル部７１には、上下に２つの穴７９が形成されている。また、第２パネル６には、上部の穴７９に挿入された雄ネジ８１がねじ込まれる雌ネジ６４が形成されている。底板２には、下部の穴７９に挿入された雄ネジ８１がねじ込まれる雌ネジ２２が形成されている。上部の穴７９に挿入された雄ネジ８１を雌ネジ６４にねじ込み、下部の穴７９に挿入された雄ネジ８１を雌ネジ２２にねじ込むことにより、第１パネル７０の側面側パネル部７１は、第２パネル６及び底板２に固定される。
【００４０】
続いて、第１パネル７０の取り外し動作及び取り付け動作について説明する。
第１パネル７０を本体部５３から取り外す際、まず、第２パネル６の雌ネジ６４から雄ネジ８１を抜き、底板２の雌ネジ２２から雌ネジ６４から雄ネジ８１を抜く。これにより、第１パネル７０の側面側パネル部７１の固定が解除される。その後、側面側パネル部７１が第２パネル６の側面部５１を構成する部分から遠ざかる方向に、第１パネル７０を移動させる。そして、第１爪部７３全体が第２パネル６の切り欠き６３と対向し、第２爪部７５全体が底板２の開口部２１と対向する位置まで第１パネル７０が移動したら、第１パネル７０を後方へ移動させる。そして、第１爪部７３を切り欠き６３から抜き、第２爪部７５を開口部２１から抜くことにより、第１パネル７０を本体部５３から取り外すことができる。
【００４１】
第１パネル７０を本体部５３に取り付ける際、まず、後方から切り欠き６３に第１爪部７３を挿入し、後方から開口部２１に第２爪部７５を挿入する。その後、側面側パネル部７１が第２パネル６の側面部５１を構成する部分に近づく方向に、第１パネル７０を移動させる。そして、第２パネル６の側面部５１を構成する部分に側面側パネル部７１を接触させる。この状態では、第１板部６１と第２板部６２との間に第１爪部７３が配置され、第１板部６１と第２板部６２との間にわずかな隙間を空けて第１爪部７３が挟みこまれた状態となっている。すなわち、第２パネル６の背面部５２を構成する部分に第１爪部７３が固定される。また、この状態では、開口部２１の周縁に第２爪部７５の凸部７７が引っ掛かり、底板２の背面部に第２爪部７５が固定された状態となっている。最後に、上部の穴７９に挿入された雄ネジ８１を雌ネジ６４にねじ込み、下部の穴７９に挿入された雄ネジ８１を雌ネジ２２にねじ込むことにより、第１パネル７０の側面側パネル部７１は第２パネル６及び底板２に固定される。すなわち、第１パネル７０が本体部５３に取り付けられた状態となる。
【００４２】
このように、本実施の形態に係る第１パネル７０は、第１爪部７３及び第２爪部７５を用いて本体部５３の背面部５２に固定される。このため、本実施の形態に係る室外機１００は、室外機１００の背面部５２側に十分な作業スペースが確保されていない場合でも、第１パネル７０の背面側パネル部７２を本体部５３の背面部５２から容易に着脱することができる。
【００４３】
ここで、本実施の形態に係る室外機１００においては、第１パネル７０の背面側パネル部７２が本体部５３の背面部５２に固定された際、板状の第１爪部７３が第１板部６１及び第２板部６２で挟みこまれた状態となる。このような固定構成の場合、板状の第１爪部７３と第１板部６１との間の隙間、及び板状の第１爪部７３と第２板部６２との間の隙間を小さくできる。このため、本実施の形態に係る室外機１００は、第１パネル７０の背面側パネル部７２が本体部５３の背面部５２に固定された状態において、鉤型の爪部を用いてパネルを本体部の背面部に固定する従来の室外機と比べ、本体部５３に対する第１パネル７０の倒れを小さくすることができる。したがって、本実施の形態に係る室外機１００においては、第１パネル７０の側面側パネル部７１に形成された雄ネジ８１が挿入される穴７９と、本体部５３の側面部５１に形成された雌ネジ２２及び雌ネジ６４とのずれが小さい。このため、側面側パネル部７１と本体部５３の側面部５１とを雄ネジ８１で固定する際、側面側パネル部７１に形成された雄ネジ８１が挿入される穴７９と、本体部５３の側面部５１に形成された雌ネジ２２及び雌ネジ６４との位置合わせが容易となる。このため、本実施の形態に係る室外機１００は、鉤型の爪部を用いてパネルを本体部の背面部に固定する従来の室外機と比べ、第１パネル７０を本体部５３に取り付ける作業が容易となる。換言すると、本実施の形態に係る室外機１００は、鉤型の爪部を用いてパネルを本体部の背面部に固定する従来の室外機と比べ、メンテナンス性が向上し、据付時間の短縮を図ることができる。
【００４４】
また、本実施の形態に係る第１爪部７３は段部７４を備えているので、第１爪部７３が第１板部６１と第２板部６２との間に入り込みすぎることを防止できる。このため、第１パネル７０の側面側パネル部７１に形成された雄ネジ８１が挿入される穴７９と、本体部５３の側面部５１に形成された雌ネジ２２及び雌ネジ６４とのずれを、より小さくすることができる。したがって、第１爪部７３が段部７４を備えることにより、第１パネル７０を本体部５３に取り付ける作業がさらに容易となる。
【００４５】
なお、室外機１００の組立時にも、第１パネル７０を本体部５３に取り付ける作業が発生する。このため、第１パネル７０を本体部５３に取り付ける作業が容易になるという効果は、室外機１００の組立時にも得られる。
【００４６】
また、本実施の形態に係る本体部５３は、第２開口部５５を覆う第２パネル６を備えている。このため、本実施の形態に係る室外機１００においては、第１開口部５４からでは本体部５３内での作業が難しい場合、第２パネル６を取り外し、第２開口部５５から本体部５３内での作業を行うことができる。ここで、本実施の形態に係る室外機１００においては、第１パネル７０の板状の第１爪部７３は、第２パネル６の第１板部６１と第２板部６２との間に挟み込まれている。このため、第２パネル６を取り外す際、第２パネル６を上方に引き上げて、第１板部６１と第２板部６２との間から第１爪部７３を引き抜くことにより、第１パネル７０を取り外さなくとも、第２パネル６を取り外すことができる。このため、本実施の形態に係る室外機１００は、メンテナンス性をさらに向上させることができる。
【００４７】
また、本実施の形態に係る室外機１００においては、第１パネル７０に、底板２の開口部２１と対向する開口部７８が形成されている。このため、外郭部５０内に水が溜まった場合、底板２の開口部２１及び第１パネル７０の開口部７８を介して、外郭部５０内の水を外部へ排出することができる。
【００４８】
以上、本実施の形態に係る空気調和機の室外機１００は、背面部５２及び側面部５１を有する外郭部５０を備えている。外郭部５０は、側面部５１から背面部５２に連続して開口する第１開口部５４が形成された本体部５３と、第１開口部５４を覆う横断面Ｌ字状の第１パネル７０とを備えている。第１パネル７０は、第１開口部５４のうちの側面部５１に形成されている部分を覆う側面側パネル部７１と、第１開口部５４のうちの背面部５２に形成されている部分を覆う背面側パネル部７２と、複数の爪部とを備えている。複数の爪部のうちの１つは、背面側パネル部７２の上端部から上方へ突出する板状の第１爪部７３である。また、本体部５３の背面部５２は、下端部に切り欠き６３が形成された第１板部６１と、規定間隔を空けて第１板部６１の前方に配置された第２板部６２とを備えている。そして、切り欠き６３に第１爪部７３を挿入し、側面側パネル部７１が側面部５１に近づく方向に第１パネル７０を移動させることにより、第１板部６１と第２板部６２との間に第１爪部７３が配置される構成となっている。
【００４９】
このため、本実施の形態に係る空気調和機の室外機１００は、第１パネル７０の本体部５３への着脱が従来よりも容易となる。
【符号の説明】
【００５０】
１  仕切板、２  底板、３  正面パネル、３ａ  吹出口、４  サービスパネル、５  正面下側パネル、６  第２パネル、８  左側面パネル、８ａ  吸込口、９  天面パネル、２１  開口部、２２  雌ネジ、３１  圧縮機、３２  冷媒容器、３３  モーターサポート、３４  送風機、３５  室外熱交換器、５０  外郭部、５１  側面部、５２  背面部、５３  本体部、５４  第１開口部、５５  第２開口部、５６  送風機室、５７  機械室、５８  吸込口、６１  第１板部、６２  第２板部、６３  切り欠き、６３ａ  縁、６４  雌ネジ、７０  第１パネル、７１  側面側パネル部、７２  背面側パネル部、７３  第１爪部、７４  段部、７５  第２爪部、７６  基部、７７  凸部、７８  開口部、７９  穴、８１  雄ネジ、１００  室外機。
【図１】
2019207683.tif 000003
【図２】
2019207683.tif 000004
【図３】
2019207683.tif 000005
【図４】
2019207683.tif 000006
【図５】
2019207683.tif 000007
【図６】
2019207683.tif 000008
【図７】
2019207683.tif 000009
【図８】
2019207683.tif 000010
【国際調査報告】
2019207683.tif 000011
2019207683.tif 000012
2019207683.tif 000013